(57)【要約】【課題】浴室暖房機１の制御システムにおいて、居住室ＬＤと浴室ＢＲとの温度差によるヒートショックを防止すると共に、浴室内の温度むらも防止する。【解決手段】居住室ＬＤと浴室ＢＲとに配置する、給湯熱源機２用の台所リモコン１２と浴室リモコン１３に室温センサ１４，１５を組み込む。これら室温センサ１４，１５の検出温度データを給湯熱源機２を介して浴室暖房機１に送信する。浴室ＢＲの暖房目標温度を台所リモコン１２内の室温センサ１４の検出温度に合わせて設定する。また、浴室ＢＲ内の空気の循環風量を、暖房機本体６内の室温センサ１０の検出温度と浴室リモコン１３内の室温センサ１５の検出温度との偏差に応じて可変する。【選択図】  図１
2004293847.tif 000002
【特許請求の範囲】
【請求項１】
浴室内の空気を循環させつつ暖房する浴室暖房機の制御システムであって、
浴室以外の居住室に配置する、給湯熱源機用のリモートコントローラに室温センサを設け、この室温センサの検出温度を給湯熱源機を経由して浴室暖房機に送信し、
浴室温度が前記室温センサの検出温度に基づいて決定される目標温度になるように浴室暖房機の運転を制御することを特徴とする浴室暖房機の制御システム。
【請求項２】
浴室内の空気を循環させつつ暖房する浴室暖房機の制御システムであって、
浴室に配置する、給湯熱源機用のリモートコントローラに室温センサを設け、この室温センサの検出温度を給湯熱源機を経由して浴室暖房機に送信し、
前記室温センサの検出温度と浴室暖房機の本体内に設けた室温センサの検出温度との偏差に応じて浴室内の空気の循環風量を可変することを特徴とする浴室暖房機の制御システム。
【請求項３】
浴室内の空気を循環させつつ暖房する浴室暖房機の制御システムであって、
浴室以外の居住室に配置する、給湯熱源機用の第１のリモートコントローラと、浴室に配置する、給湯熱源機用の第２のリモートコントローラとに夫々室温センサを設け、これら各室温センサの検出温度を給湯熱源機を経由して浴室暖房機に送信し、
浴室温度が第１のリモートコントローラに設けた室温センサの検出温度に基づいて決定される目標温度になるように浴室暖房機の運転を制御すると共に、
第２のリモートコントローラに設けた室温センサの検出温度と浴室暖房機の本体内に設けた室温センサの検出温度との偏差に応じて浴室内の空気の循環風量を可変することを特徴とする浴室暖房機の制御システム。
【請求項４】
前記浴室暖房機は、該暖房機の本体内に、熱源として、前記給湯熱源機からの温水を通水する熱交換器を備えることを特徴とする請求項１〜３の何れか１項に記載の浴室暖房機の制御システム。
【発明の詳細な説明】
【０００１】
【発明の属する技術分野】
本発明は、浴室内の空気を循環させつつ暖房する浴室暖房機の制御システムに関する。
【０００２】
【従来の技術】
従来、浴室暖房機は、浴室の天井裏等に配置する暖房機本体内に熱源を配置し、浴室内の空気を暖房機本体を介して循環させつつ熱源により加熱して、浴室の暖房を行うように構成されている。そして、脱衣室等に配置したリモートコントローラの操作により、暖房機本体内に設けた室温センサの検出温度がリモートコントローラで設定した設定温度になるように、熱源の作動と循環風量とを制御して、暖房運転を行う。
【０００３】
また、最近は、多くの住居に、浴室、洗面所、台所といった各箇所への給湯機能と、更に、浴槽の湯張りや追い焚き機能とを持つ給湯熱源機が配置されるようになっている。給湯熱源機用のリモートコントローラとしては、一般に、浴室に配置する、所謂、浴室リモコンと、リビングダイニングといった浴室以外の居住室に配置する、所謂、台所リモコンとが用いられ、これら各リモコンにより給湯温度や浴槽の湯温や湯量を設定したり、湯張りや追い焚きの運転開始を行うことができるようになっている。尚、浴室暖房機の暖房機本体内に設ける熱源として、給湯熱源機からの温水を通水する熱交換器を用いるものも知られている。
【０００４】
また、従来、浴室暖房機と給湯熱源機との間での通信を可能とし、浴室暖房機で検出された浴室温度を給湯熱源機に送信し、この浴室温度に応じて浴槽の湯温を補正し、或いは、給湯熱源機で検出された浴槽の湯温を浴室暖房機に送信し、この湯温に応じて浴室の暖房温度を補正するものも知られている（例えば、特許文献１参照。）。
【０００５】
【特許文献１】
特開２００２−３３３２０４号公報（第２〜第５頁、図１〜図４）
【０００６】
【発明が解決しようとする課題】
ところで、浴室暖房機の暖房運転は、通常、入浴する少し前に浴室暖房機用のリモートコントローラの操作で開始される。この際、暖房温度を設定変更すれば良いのであるが、操作が煩わしいため、従前の設定温度のまま暖房運転が行われることが殆どである。その結果、居住室が比較的高い温度で暖房されている場合、浴室に入ったときに、居住室との温度差によるヒートショックを受けることがある。このヒートショックは、浴室の暖房温度を風呂の湯温に応じて補正しても防止できない。
【０００７】
また、浴室暖房機は、暖房機本体内に設けた室温センサの検出温度が暖房設定温度に近づくと、循環風量を減少するように制御される。そして、循環風量を減少させて暫く経つと、浴室の低所の温度は設定温度より低くなる。然し、浴室の天井裏といった高所に配置される暖房機本体内の室温センサでは、低所の温度が低くなってもこれを検知できず、そのまま放置されて、入浴者に不快感を与えてしまうことがある。
【０００８】
本発明は、以上の点に鑑み、居住室と浴室との温度差によるヒートショックの発生や、浴室内の温度むらの発生を防止できるようにした浴室暖房機の制御システムを提供することをその課題としている。
【０００９】
【課題を解決するための手段】
上記課題を解決するために、本発明は、浴室内の空気を循環させつつ暖房する浴室暖房機の制御システムであって、浴室以外の居住室に配置する、給湯熱源機用の第１のリモートコントローラと、浴室に配置する、給湯熱源機用の第２のリモートコントローラとに夫々室温センサを設け、これら各室温センサの検出温度を給湯熱源機を経由して浴室暖房機に送信し、浴室温度が第１のリモートコントローラに設けた室温センサの検出温度に基づいて決定される目標温度になるように浴室暖房機の運転を制御すると共に、第２のリモートコントローラに設けた室温センサの検出温度と浴室暖房機の本体内に設けた室温センサの検出温度との偏差に応じて浴室内の空気の循環風量を可変することを特徴とする。
【００１０】
上記の構成によれば、給湯熱源機用の第１のリモートコントローラ（所謂、台所リモコン）に組み込んだ室温センサの検出温度、即ち、居住室の室温に応じた目標温度になるように浴室が暖房されることになり、居住室と浴室との温度差によるヒートショックが防止される。
【００１１】
また、浴室暖房機の本体は浴室の高所に配置されるが、給湯熱源機用の第２のリモートコントローラ（所謂、浴室リモコン）は、浴槽に入ったまま操作できるように、一般的に、浴室の低所に配置される。そのため、第２のリモートコントローラに組み込んだ室温センサは、浴室の低所の温度を検出することになる。従って、第２のリモートコントローラに組み込んだ室温センサの検出温度と暖房機本体内に設けた室温センサの検出温度との偏差が増加するのは、温度むらで浴室の低所の温度が低下したときである。そして、本発明によれば、上記偏差に応じて浴室内の空気の循環風量を可変するため、温度むらを生じたときは循環風量が増加され、温度むらが速やかに解消される。
【００１２】
ところで、居住室と浴室の低所とに給湯熱源機用のリモートコントローラと無関係に室温センサを配置し、各室温センサを信号線を介して浴室暖房機に接続することも考えられるが、これでは信号線の配線作業が面倒になる。一方、本発明の如く、給湯熱源機用のリモートコントローラに室温センサを設けておけば、給湯熱源機まではリモートコントローラ用の配線で室温センサの検出温度データを送信できる。この場合、浴室暖房機と給湯熱源機との間の信号線の配線が必要になるが、給湯熱源機は、一般に、浴室の近傍に配置されるため、信号線の配線作業に左程手間はかからない。特に、浴室暖房機の暖房機本体内に設ける熱源として、給湯熱源機からの温水を通水する熱交換器を用いる場合は、浴室暖房機と給湯熱源機との間の制御用配線で室温センサの検出温度データを送信できる。従って、検出温度データを送信する信号線のための配線作業が不要になり、極めて合理的である。
【００１３】
また、本発明の上記の構成では、給湯熱源機用の第１と第２の両リモートコントローラに夫々室温センサを組み込んだが、第１のリモートコントローラのみに室温センサを組み込み、浴室温度がこの室温センサの検出温度に基づいて決定される目標温度になるように浴室暖房機を制御し、或いは、第２のリモートコントローラのみに室温センサを組み込み、この室温センサの検出温度と暖房機本体内の室温センサの検出温度との偏差に応じて浴室内の空気の循環風量を可変しても良い。前者によれば、居住室と浴室との温度差によるヒートショックを防止でき、後者によれば、温度むらを生じたときに循環風量を増加させて、温度むらを速やかに解消できる。
【００１４】
【発明の実施の形態】
図１を参照して、１は浴室ＢＲの暖房を行う浴室暖房機、２は浴室ＢＲ内のカラン３やシャワー４を含む住居の各給湯箇所への給湯機能と、浴槽５への湯張りや追い焚きといった風呂機能とを有する給湯熱源機を示している。
【００１５】
浴室暖房機１は、浴室ＢＲの天井裏等に配置する暖房機本体６内に、給湯熱源機２からの温水を通水する熱交換器７と、図示省略した循環ファンとを設け、浴室ＢＲ内の空気を循環ファンの作動で暖房機本体６を介して循環させつつ熱交換器７で加熱して、浴室ＢＲの暖房を行うように構成されている。
【００１６】
浴室暖房機１のコントローラ８には、脱衣室等に配置するリモートコントローラ９が接続されている。リモートコントローラ９には、図示しないが、運転スイッチとモード選択スイッチと温度設定スイッチとが設けられている。モード選択スイッチは、温度設定スイッチで設定した温度になるように暖房する通常モードと、浴室ＢＲ以外のリビングダイニングといった居住室ＬＤの室温に応じた温度になるように暖房するヒートショック防止モードとを選択できるようになっており、運転スイッチをオンすると、モード選択スイッチで選択したモードで暖房運転が開始される。また、暖房機本体６内には、サーミスタ等から成る室温センサ１０が設けられており、コントローラ９に室温センサ１０の検出温度データが入力される。
【００１７】
給湯熱源機２のコントローラ１１には、居住室ＬＤに配置した第１のリモートコントローラ１２（所謂、台所リモコン）と、浴室ＢＲに配置した第２のリモートコントローラ１３（所謂、浴室リモコン）とが接続されている。そして、これら各リモートコントローラ１２，１３により、給湯温度や浴槽５の湯温の設定操作と、浴槽５への湯張り運転や追い焚き運転の開始操作とを行うようにしている。また、浴室暖房機１の暖房運転時は、浴室暖房機１のコントローラ８から給湯熱源機２のコントローラ１１に給湯指令を送り、給湯熱源機２と熱交換器７との間で温水を循環させる。尚、第２のリモートコントローラ１３は、浴槽５に入ったまま追い焚き等の操作を行い得られるように、浴槽５の比較的低い場所に配置される。
【００１８】
第１と第２の両リモートコントローラ１２，１３には、夫々、サーミスタ等から成る室温センサ１４，１５が設けられている。これら各室温センサ１４，１５の検出温度データは、各リモートコントローラ１２，１３と給湯熱源機２との間の信号線１６，１７を介して給湯熱源機２のコントローラ１１に送信され、更に、このコントローラ１１から給湯熱源機２と浴室暖房機１との間の信号線１８を介して浴室暖房機１のコントローラ８に送信される。
【００１９】
浴室暖房機１による浴室ＢＲの暖房運転時、コントローラ８は、図２に示す如く、先ず、Ｓ１のステップにおいて、リモートコントローラ９により選択されたモードが通常モードとヒートショック防止モードとの何れであるかを判別する。通常モードが選択されているときは、Ｓ２のステップで暖房目標温度ＹＴをリモートコントローラ９で設定した設定温度ＴＳに決定する。一方、ヒートショック防止モードが選択されているときは、Ｓ３のステップにおいて、暖房目標温度ＹＴを第１のリモートコントローラ１２に設けた室温センサ１４の検出温度ＴＬＤ、即ち、第１のリモートコントローラ１２を配置した居住室ＬＤの室温に決定する。
【００２０】
次に、Ｓ４のステップで給湯熱源機２に給湯指令を出し、給湯熱源機２により熱交換器７に温水を循環させる。そして、暖房運転中は、熱交換器７に温水が継続して循環される。
【００２１】
また、暖房運転中は、Ｓ５のステップにおいて、暖房機本体６内に設けた室温センサ１０の検出温度ＴＢＨと、第２のリモートコントローラ１３に設けた室温センサ１４の検出温度ＴＢＬとの偏差ΔＴを算出し、この偏差ΔＴが所定値ＹΔＴ（例えば、１℃）以上であるか否かを判別する。ΔＴ＜ＹΔＴであれば、Ｓ６のステップで暖房機本体６内に設けた室温センサ１０の検出温度ＴＢＨが目標温度ＹＴ以上になったか否かを判別する。そして、ＴＢＨ＜ＹＴの間は、Ｓ７のステップに進み、浴室ＢＲ内の空気の循環風量を大きくした状態で暖房運転を行う。これにより浴室温度が速やかに目標温度ＹＴに上昇される。ＴＢＨ≧ＹＴになると、Ｓ８のステップに進み、循環風量を小さくして、保温のための暖房運転に移行する。
【００２２】
このように循環風量を小さくすると、温度むらを生じて、浴室ＢＲの低所の温度が低くなることがある。ここで、第２のリモートコントローラ１３は浴室ＢＲの低所に配置されているため、このリモートコントローラ１３に組み込んだ室温センサ１５の検出温度は浴室ＢＲの低所の温度を表すことになる。従って、温度むらを生ずると、浴室ＢＲの高所に配置した暖房機本体６内の室温センサ１０の検出温度ＴＢＨと前記室温センサ１５の検出温度ＴＢＬとの偏差ΔＴが大きくなる。そして、ΔＴ≧ＹΔＴなると、Ｓ７のステップに進んで循環風量が増加される。そのため、温度むらは速やかに解消される。
【００２３】
また、ヒートショック防止モードを選択したときは、目標温度ＹＴが第１のリモートコントローラ１２に組み込んだ室温センサ１４で検出される居住室ＬＤの室温ＴＬＤに設定される。従って、暖かく暖房されている居住室ＬＤに居た人が入浴するために浴室ＢＲに入った際に感ずる、居住室ＬＤと浴室ＢＲとの温度差によるヒートショックが防止され、快適に入浴することができる。
【００２４】
尚、目標温度ＹＴは、第１のリモートコントローラ１２に組み込んだ室温センサ１４の検出温度ＴＬＤに対し所定の温度差を持つように決定することも可能であり、この温度差をリモートコントローラ９で任意に設定できるようにしても良い。
【図面の簡単な説明】
【図１】本発明に係る浴室暖房機の制御システムの全体構成図。
【図２】暖房運転時の制御を示すフロー図。
【符号の説明】
ＢＲ…浴室  ＬＤ…居住室  １…浴室暖房機  ２…給湯熱源機  ６…暖房機本体  ７…熱交換器  ８…コントローラ  １０…室温センサ  １２…第１のリモートコントローラ  １３…第２のリモートコントローラ  １４，１５…室温センサ
【図１】
2004293847.tif 000003
【図２】
2004293847.tif 000004